(57)【特許請求の範囲】
【請求項１】
スケールウォッシャ（２）が、少なくとも１つのノズル（３）を備え、このノズルによって、圧力（ｐ）下にある水が、スラブ又は粗ストリップ（１）の表面へ排出される、スケールウォッシャ（２）によってスラブ又は粗ストリップ（１）のクリーニング及び／又はデスケーリングをするための方法において、
ノズル（３）の出口（４）が、２つのノズルプレート（９，１０）によって構成され、これらノズルプレートの形状に応じて、スラブ又は粗ストリップ（１）の表面に対して垂直な方向（Ｎ）で見て長方形状の又は少なくとも部分的に円弧状のスリットの形態を備え、これにより、水が、スラブ又は粗ストリップ（１）の幅（Ｂ）全体にわたって、一貫してストリップ状のジェット（５）として排出され、スラブ又は粗ストリップ（１）の移送方向（Ｆ）のノズル（３）の出口（４）の幅（ｂ）が、０．２ｍｍ〜１．５ｍｍの間で選択され、水が、５ｂａｒ〜５０ｂａｒの間の圧力（ｐ）でノズル（３）に供給され、ノズル（３）の出口（４）とスラブ又は粗ストリップ（１）の表面の間の間隔（ａ）が、８ｍｍ〜５０ｍｍの間で選択されること、及び、両ノズルプレート（９，１０）の位置が、互いに相対的に調整可能であること、を特徴とする方法。
【請求項２】
スラブ又は粗ストリップ（１）の移送方向（Ｆ）のノズル（３）の出口（４）の幅が、０．３ｍｍ〜０．８ｍｍの間で選択されること、を特徴とする請求項１に記載の方法。
【請求項３】
水が、１０ｂａｒ〜４０ｂａｒの間の圧力（ｐ）でノズル（３）に供給されること、を特徴とする請求項１又は２に記載の方法。
【請求項４】
ノズル（３）の出口（４）とスラブ又は粗ストリップ（１）の表面の間の間隔（ａ）が、１０ｍｍ〜３０ｍｍの間で選択されること、を特徴とする請求項１〜３のいずれか１項に記載の方法。
【請求項５】
ストリップ状のジェット（５）が、スラブ又は粗ストリップ（１）の表面に対して垂直な方向（Ｎ）に対して０°〜３０°の間の角度（α）で、スラブ又は粗ストリップ（１）の移送方向（Ｆ）に対して不動に調整されて整向されるか、前記角度範囲内で調整可能に形成されること、を特徴とする請求項１〜４のいずれか１項に記載の方法。
【請求項６】
ノズル（３）の出口（４）を規定する両ノズルプレート（９，１０）の水貫流用のそれぞれの画成エッジ（１１）は、スラブ又は粗ストリップ（１）の表面とのそれぞれの間隔が異なるように調整されること、を特徴とする請求項１〜５のいずれか１項に記載の方法。
【請求項７】
少なくとも１つのノズル（３）を備え、このノズルによって、圧力（ｐ）下にある水が、スラブ又は粗ストリップ（１）の表面へ排出可能である、請求項１〜６のいずれか１項に記載の方法を実施するための、スラブ又は粗ストリップ（１）のクリーニング及び／又はデスケーリングをするためのスケールウォッシャ（２）において、
ノズル（３）の出口（４）が、２つのノズルプレート（９，１０）によって構成され、これらノズルプレートの形状に応じて、スラブ又は粗ストリップ（１）の表面に対して垂直な方向（Ｎ）で見て長方形状の又は少なくとも部分的に円弧状のスリットの形態を備え、スラブ又は粗ストリップ（１）の移送方向（Ｆ）のノズル（３）の出口（４）の幅（ｂ）が、０．２ｍｍ〜１．５ｍｍの間であり、ノズル（３）の出口（４）とスラブ又は粗ストリップ（１）の表面の間の間隔（ａ）を調整可能な移動手段（６）が設けられていること、及び、両ノズルプレート（９，１０）の位置が、互いに相対的に調整可能であること、を特徴とするスケールウォッシャ。
【請求項８】
ノズル（３）が、ハウジング（７）内に収容され、このハウジングが、水平でスラブ又は粗ストリップ（１）の移送方向（Ｆ）に対して横に配置された軸（Ａ）を中心として旋回可能であること、を特徴とする請求項７に記載のスケールウォッシャ。
【請求項９】
ハウジング（７）に、少なくとも１つの部分（８）又は突出部が配置され、この部分又は突出部が、スケールウォッシャの規定通りの使用時に、ノズル（３）の出口（４）よりもスラブ又は粗ストリップ（１）の表面の近く（ａ’）に配置されていること、を特徴とする請求項８に記載のスケールウォッシャ。
【請求項１０】
ノズル（３）の出口（４）が、互いに隣接して配置された２つのノズルプレート（９，１０）によって構成され、これらノズルプレート（９，１０）の少なくとも一方が、スラブ又は粗ストリップ（１）の移送方向（Ｆ）及び／又はスラブ又は粗ストリップ（１）の表面に対して垂直な方向（Ｎ）及び／又はスラブ又は粗ストリップ（１）の移送方向（Ｆ）に対して横に調整可能に配置されていること、を特徴とする請求項７〜９のいずれか１項に記載のスケールウォッシャ。
【請求項１１】
ノズル（３）の出口（４）が、互いに隣接して配置された２つのガイド状のノズルプレート（９，１０）によって構成され、両ノズルプレート（９，１０）が、水貫流用の画成エッジ（１１）を備え、スラブ又は粗ストリップ（１）の表面に対して垂直な方向（Ｎ）で見たこれら画成エッジが、スラブ又は粗ストリップ（１）の移送方向（Ｆ）に対して横の水平方向に対して１°〜５°の間のくさび角で延在し、両ノズルプレート（９，１０）が、互いに相対的に、スラブ又は粗ストリップ（１）の移送方向（Ｆ）に対して横の水平方向に調整可能に形成されていること、を特徴とする請求項７〜９のいずれか１項に記載のスケールウォッシャ。
【請求項１２】
ノズル（３）の出口（４）が、任意に輪郭付けされた２つのノズルプレート（９，１０）によって構成され、両ノズルプレート（９，１０）が、間隙幅をスラブ又は粗ストリップ（１）の幅にわたって不均等に変化させるように、互いに相対的に調整可能であること、を特徴とする請求項７〜９のいずれか１項に記載のスケールウォッシャ。
【請求項１３】
ノズルプレート（９，１０）が、耐熱性の特殊鋼、焼入鋼、硬質金属又はセラミックから成ること、を特徴とする請求項７〜１２のいずれか１項に記載のスケールウォッシャ。
【請求項１４】
スケールウォッシャが、構成要素として水入側領域、オプションのフィルタプレート、ジェット整流器、ノズル補正区間、ノズル間隙の前のジェット収束部及びノズル間隙を有するノズルユニットを備えること、を特徴とする請求項７〜１３のいずれか１項に記載のスケールウォッシャ。
【請求項１５】
移送方向（Ｆ）のノズル（３）の出口（４）の幅（ｂ）が、スラブ又は粗ストリップ（１）の幅にわたって部分的に調整可能であること、を特徴とする請求項７〜１４のいずれか１項に記載のスケールウォッシャ。
【請求項１６】
スケールウォッシャが、少なくとも１つのフィルタ要素（１３）を備え、このフィルタ要素が、多数の孔、網目又はスリットを備え、孔直径、網目幅又はスリット幅が、ノズル（３）の出口（４）の幅（ｂ）よりも小さいか等しい大きさであること、を特徴とする請求項７〜１５のずれか１項に記載のスケールウォッシャ。
【請求項１７】
フィルタ要素（１３）が、ノズル（３）の出側領域の前に配置され、フィルタ要素（１３）の孔、網目又はスリットの横断面の和が、ノズル（３）の出口（４）の横断面よりも大きいこと、を特徴とする請求項１６に記載のスケールウォッシャ。
【請求項１８】
スケールウォッシャ（２）への入側ライン（１２）及び／又はスケールウォッシャ（２）のハウジング（７）及び／又は水を案内する全ての部品が、不錆材料から成ること、を特徴とする請求項７〜１７のいずれか１項に記載のスケールウォッシャ。
【請求項１９】
ノズル（３）が、水の流出方向に、平行な出口間隙を備え、水の流出方向に測定した出口間隙の長さが、２０ｍｍより少ない、及び／又は、ノズル（３）の出口（４）の幅（ｂ）の３倍よりも長いこと、を特徴とする請求項７〜１８のいずれか１項に記載のスケールウォッシャ。
【発明の詳細な説明】
【技術分野】
【０００１】
本発明は、スケールウォッシャが、少なくとも１つのノズルを備え、このノズルによって、圧力下にある水が、スラブ又は粗ストリップの表面へ排出される、スケールウォッシャによってスラブ又は粗ストリップのクリーニング及び／又はデスケーリングをするための方法に関する。更に本発明は、スケールウォッシャに関する。
【背景技術】
【０００２】
スケールウォッシャは、１次スケール又は２次スケールの的確な除去のために必要であり、この種のスケールウォッシャでは、水が、十分高い水圧でクリーニングすべきスラブへ排出される。
【０００３】
この場合、スケールウォッシャ例えば仕上げトレインスケールウォッシャのエネルギー消費量は、相当なものである。時間毎に調整される圧力レベル及び水量に応じて、エネルギー消費量は、４．５ＭＷになり得る。この場合、例えば３８０ｂａｒの最大水圧が使用される。エネルギー消費量の低減は、直接的に水圧の低下を伴うので、その場合にはデスケーリング結果もしくはクリーニング結果は、品質的に低下する。
【０００４】
種々の形成のスケールウォッシャが、独国特許出願公告第６９３  １４  ２７５号明細書、国際公開第２００９／０５６７１２号パンフレット、特開昭５９−０７６６１５号公報及び特開２０１０−２４７２２８号公報から公知である。
【０００５】
この場合、水は、相並んで配置された多数のノズルによってスラブもしくは圧延材の表面へ排出される。このような設備は、例えばバー毎に約５０の相並んで配置されたノズルを有する。この場合、公知の解決策によれば、ノズル出口とデスケールすべきスラブの間に十分大きい間隔が設けられる。これは、個々のノズルの的確なカバー範囲に関する感度が、特にスラブが長手方向又は横方向に反った時に増加することから生じる。ノズルは、更に、任意に狭く相並んで取り付けることもしくは配置することができないので、隣接するノズルは、互いに位置ズレさせて配置される。従って、個々のノズルのジェットは、流出する水によって相互に妨害される。更に、ノズル出口とスラブ表面の間の間隔が狭い時には、場合によってはスケールウォッシャへスラブ先端を確実に通すための措置が必要である。加えて、コストの理由から、ノズル数の任意の増加に限度が設定されている。
【０００６】
米国特許第４，６１７，８１５号明細書は、スケールウォッシャが、少なくとも１つの長方形ノズルを備え、この長方形ノズルによって、圧力下にある水が、スラブ又は粗ストリップの表面へ排出される、スケールウォッシャによってスラブ又は粗ストリップのクリーニング及び／又はデスケーリングをするための方法を開示する。
【先行技術文献】
【特許文献】
【０００７】
【特許文献１】独国特許出願公告第６９３  １４  ２７５号明細書
【特許文献２】国際公開第２００９／０５６７１２号パンフレット
【特許文献３】特開昭５９−０７６６１５号公報
【特許文献４】特開２０１０−２４７２２８号公報
【特許文献５】米国特許第４，６１７，８１５号明細書
【発明の概要】
【発明が解決しようとする課題】
【０００８】
従って、本発明の根底にある課題は、良好なデスケーリング結果もしくはクリーニング結果が達成可能であり、しかしながら同時に明らかに少ししかエネルギーを必要としない冒頭で述べた形式の方法並びにスケールウォッシャを提案することにある。更に、スラブ又は粗ストリップの温度損失は、回避されるべきである。
【課題を解決するための手段】
【０００９】
本発明によるこの課題の解決策は、方法によれば、ノズルの出口が、２つのノズルプレートによって構成され、これらノズルプレートの形状に応じて、スラブ又は粗ストリップの表面に対して垂直な方向で見て長方形状の又は少なくとも部分的に円弧状のスリットの形態を備え、これにより、水が、スラブ又は粗ストリップの幅全体にわたって、一貫してストリップ状のジェットとして排出され、スラブ又は粗ストリップの移送方向のノズルの出口の幅が、０．２ｍｍ〜１．５ｍｍの間で選択され、水が、５ｂａｒ〜５０ｂａｒの間の圧力でノズルに供給され、ノズルの出口とスラブ又は粗ストリップの表面の間の間隔が、８ｍｍ〜５０ｍｍの間で、特に８ｍｍ〜３５ｍｍの間で選択されること、及び、両ノズルプレートの位置が、互いに相対的に調整可能であること、を特徴とする。
【００１０】
好ましくは、スラブ又は粗ストリップの移送方向のノズルの出口の幅が、０．３ｍｍ〜０．８ｍｍの間、特に好ましくは０．４ｍｍ〜０．６ｍｍの間で選択される。
【００１１】
水は、好ましくは１０ｂａｒ〜４０ｂａｒの間、特に１５ｂａｒ〜３５ｂａｒの間の圧力でノズルに供給される。
【００１２】
ノズルの出口とスラブ又は粗ストリップの間の間隔は、好ましくは１０ｍｍ〜３０ｍｍの間、特に１５ｍｍ〜２０ｍｍの間で選択される。
【００１３】
長方形ノズルの出口における流動状態は、そこに高い水流出速度でコンパクトな比較的円滑なジェットが生じるように、設計もしくは設定されている。従来のフラットジェットノズルに比べて長方形ノズルの場合には存在しない、移送方向に対して横のウォータジェットの拡開は、低圧であるにもかかわらず高い衝撃作用（インパクト）と、良好かつ均等なデスケーリング結果とを生じさせる。
【００１４】
前記データの組合せは、驚くべきことに非常に良好なクリーニング結果もしくはデスケーリング結果を生じさせ、エネルギー必要量が著しく低下した。
【００１５】
ストリップ状のジェットは、好ましくは、スラブ又は粗ストリップの表面に対して垂直な方向に対して０°〜３０°の間、特に１５°〜２５°の間の角度で、スラブ又は粗ストリップの移送方向に対して不動に調整されて整向されるか、前記角度範囲内で調整可能に形成される。
【００１６】
ジェットの整向は、０°〜３０°の前記角度範囲内で、水の流出状態、場所条件又はスラブ寸法に依存して最適に不動に調整することができる。選択的に、前記条件に依存した調整機構による角度の調整も可能である。スラブ下側又は粗ストリップ下側では、例えば加えられるパルス（インパクト）を最大化するために、０°の角度も有利であり得る。
【００１７】
発展形では、ノズルの出口を規定する両ノズルプレートの水貫流用のそれぞれの画成エッジは、スラブ又は粗ストリップの表面とのそれぞれの間隔が異なるように調整される。
【００１８】
提案した、スラブ又は粗ストリップのクリーニング及び／又はデスケーリングをするためのスケールウォッシャは、本発明によれば、ノズルの出口が、２つのノズルプレートによって構成され、これらノズルプレートの形状に応じて、スラブ又は粗ストリップの表面に対して垂直な方向で見て長方形状の又は少なくとも部分的に円弧状のスリットの形態を備え、スラブ又は粗ストリップの移送方向のノズルの出口の幅が、０．２ｍｍ〜１．５ｍｍの間であり、ノズルの出口とスラブ又は粗ストリップの表面の間の間隔を調整可能な移動手段が設けられていること、及び、両ノズルプレートの位置が、互いに相対的に調整可能であること、を特徴とする。
【００１９】
この場合、本発明の好ましい形成によれば、ノズルが、ハウジング内に収容され、このハウジングが、水平でスラブ又は粗ストリップの移送方向に対して横に配置された軸を中心として旋回可能である。ハウジングに、１つの部分又は突出部を配置することができ、この部分又は突出部が、スケールウォッシャの規定通りの使用時に、ノズルの出口よりもスラブ又は粗ストリップの表面の近くに配置されている。これにより、ノズルの効率的な保護が可能である。
【００２０】
ノズルの出口は、互いに隣接して配置された−特に直線状の−２つのノズルプレートによって構成することができる。この場合、これらノズルプレートの少なくとも一方を、スラブ又は粗ストリップの移送方向及び／又はスラブ又は粗ストリップの表面に対して垂直な方向及び／又はスラブ又は粗ストリップの移送方向に対して横に調整可能に配置することができる。
【００２１】
本発明の別の実施形態では、ノズルの出口が、互いに隣接して配置された２つのガイド状のノズルプレートによって構成され、両ノズルプレートが、水貫流用の画成エッジを備え、スラブ又は粗ストリップの表面に対して垂直な方向で見たこれら画成エッジが、スラブ又は粗ストリップの移送方向に対して横の水平方向に対して特に１°〜５°の間のくさび角で延在し、両ノズルプレートが、互いに相対的に、スラブ又は粗ストリップの移送方向に対して横の水平方向に調整可能に形成されている。これにより、簡単にノズル間隙の大きさを変更することができる。
【００２２】
真直ぐなノズルプレートエッジの代わりに、エッジは、任意に輪郭付けすること、特にｎ次の多項式による輪郭を備えることができるので、ＣＶＣテクノロジーの場合と同様に、幅にわたって、例えば放物線状の間隙変化が得られる。従って、即ち発展形では、ノズルの出口が、任意に輪郭付けされた２つのノズルプレートによって構成され、両ノズルプレートが、間隙幅をスラブ又は粗ストリップの幅にわたって不均等に変化させるように、互いに相対的に調整可能である。
【００２３】
この場合、ノズル間隙幅は、デスケールすべきスラブ又は粗ストリップの幅にわたって部分的に調整可能にすることもでき、従って、それゆえ、移送方向のノズルの出口の幅が、スラブ又は粗ストリップの幅にわたって部分的に調整可能である。
【００２４】
好ましくは、スケールウォッシャが、少なくとも１つのフィルタ要素を備え、このフィルタ要素が、多数の孔、網目又はスリットを備え、孔直径、網目幅又はスリット幅が、ノズルの出口の幅よりも小さいか等しい大きさである。即ち好ましくは、フィルタが水供給ライン内に配置され、その網目幅が、ノズルのスリット幅よりも小さい。この場合、フィルタ要素は、ノズルの出側領域の前に配置することができ、フィルタ要素の孔、網目又はスリットの横断面の和が、ノズルの出口の横断面よりも大きい。
【００２５】
この場合、スケールウォッシャへの入側ライン及び／又はスケールウォッシャのハウジング及び／又は水を案内する全ての部品が、好ましくは不錆材料（好ましくはスチール又は銅）から成る。
【００２６】
狭い長方形ノズルの詰りは、スケールウォッシャハウジング内の相応に構成したフィルタユニットによって回避される。これは、出側通路の前に配置された幅にわたる例えば直方体状の（又は同様の空間的な広がりを有する）一貫したフィルタユニットである。この場合、フィルタ領域は、垂直通路内へ突出することができる。フィルタユニットは、小さい網目又は孔又は特に狭幅のスリットを備え、その孔幅、網目幅又はスリット幅は、長方形ノズルの出口幅よりも小さいか等しい幅である。更に、流れ損失を小さく保つため、（水流れ方向で見た）孔、網目又はスリットの横断面の和は、長方形ノズルの横断面よりも大きい。
【００２７】
別の有利な発展形では、ノズルの出口が、相応に輪郭付けされた２つのプレートによって構成され、これらプレートが、互いに相対移動した時に、スラブ又は粗ストリップの幅にわたる間隙を変更する。
【００２８】
１つの噴射列だけを−特に低い水量で−使用することもできる。デスケール時にこれにより小さくなる冷却作用に基づいて生じる温度差の分だけ、炉温度を低下させることができる。
【００２９】
長方形ノズルユニットは、構成要素として水入側領域、場合によってはフィルタプレート、ジェット整流器、ノズル補正区間、ノズル間隙の前のジェット収束部及びノズル間隙を有することができる。
【００３０】
両ノズルプレートの画成エッジは、スラブもしくは粗ストリップに対して異なった間隔で配置することもしくはこのような異なった間隔に調整することもできる。
【００３１】
長方形間隙は、円弧状に形成することもできる。ノズル間隙幅は、ノズルの幅にわたって部分的に調整可能にすることもできる。
【００３２】
ノズルは、水の流出方向に、平行な出口間隙を備えることができ、水の流出方向に測定した出口間隙の長さは、特に２０ｍｍより少ない、及び／又は、ノズルの出口の幅の３倍よりも長い。
【００３３】
従って、本発明は、明らかに低減されたエネルギー消費量で良好なデスケーリング結果を達成するために、異なった措置の組合せを提案する。
【００３４】
長方形ノズルの出口とスラブ又は圧延材の表面の間の間隔は、好ましくは２０ｍｍであり、１０ｍｍ〜３０ｍｍの間の範囲も、非常に良好な結果をもたらす。長方形ノズルによって、スラブもしくは粗ストリップに対する間隔を小さく調整することができ、長方形ノズルであるので、幅にわたるノズルカバー範囲が重要となることはないことが、特に有利である。
【００３５】
長方形ノズルによって既に幅にわたる均等なデスケーリング作用を調整することができるので、大抵は側毎に１つのデスケールバーで十分である。
【００３６】
圧力レベルは、好ましくは２５ｂａｒに保たれ、１０ｂａｒ〜４０ｂａｒの間の値も良好な結果を生じさせる。これにより、著しい省エネルギーが得られる。
【００３７】
長方形ノズルのスリット幅は、好ましくは０．５ｍｍに調整され、このため好ましい値範囲は、０．３ｍｍ〜０．８ｍｍの間である。
【００３８】
比較的低い圧力と適当な間隙幅の場合、デスケール水量は低く調整可能であり、これが、スラブ又は粗ストリップの冷却効果を低減する。
【００３９】
ノズルプレートは、交換可能に構想することができる。これらノズルプレートは、好ましくは耐熱性の特殊鋼、焼入鋼、硬質金属又はセラミックから成る。
【００４０】
ノズルのジェットの角度は、好ましくは、全ての水が処理方向に向かって流れるように急勾配に調整され、ここでは０°〜２５°の間の角度が好ましい。
【００４１】
スケールウォッシャは、好ましくは仕上げトレインの前又はスラブ炉の後に配置される。
【００４２】
ノズル出口とスラブ表面の間の間隔の調整能力により、デスケールプロセスの最適化だけでなくスラブ厚さの変更時のノズルの保護も可能である。スケールウォッシャ及びそのノズル領域を通る粗ストリップヘッドもしくはスラブヘッドの搬送時、ノズルは、いくらか持ち上げることができるか、その旋回可能なハウジングに外力が作用した時に退避し、これにより、損傷を回避することができる。従って、長方形ノズルを有するスケールウォッシャバーは、揺動要素に支承されている。
【００４３】
ノズルを保護し、搬送の安全を向上させるための付加的な措置として、粗ストリップ又はスラブ−ヘッド形状検知装置（スキー）をスケールウォッシャの前に設けること（光学又は機械システム）及びスラブもしくはストリップのヘッドに対するノズル位置を制御することもできる。
【００４４】
長方形のノズルのスリット幅は、ノズルプレートの交換によって変更することができる。スリット幅を調整メカニズムによって（例えばカム又はくさびによって）変更することも可能であり、このため、ノズルプレートを可動に配置することができる。これにより、ノズルプレート摩耗を補償することが可能になる。更に、これにより、間隙を例えば生じ得るノズルクリーニングのために開放することが可能になる。
【００４５】
別の発展形として、ノズルの間隙を（移送方向に対して横の）長方形ノズルの幅にわたって部分的にだけ変更することもできる。これにより、ノズル間隙を部分的に閉鎖することができ、これにより、異なったスラブ幅への幅の適合が可能になる。
【００４６】
デスケール圧力は、本発明によれば即ち従来技術に対して実質的に低減され、それにもかかわらず、提案した特徴の組合せによって十分不変のデスケーリング結果が得られる。
【００４７】
ノズルとデスケールすべき圧延材の間の間隔を小さくすることにより、スラブ表面へのウォータジェットの衝突圧力が、従ってクリーニング作用が増加する。従って、本発明は、同じデスケーリング品質を維持しつつ間隔及び水圧を低下させることでもって働く。
【００４８】
ノズル出口とスラブ表面の間の間隔は、相応のアクチュエータによって調整することができる。ノズル出口とスラブの間の間隔を小さく調整できるように、場合によっては、ヘッドにおける圧延材からのノズルの間隔調整が必要である。設けられる長方形ノズルの使用は、ここでは、スラブの幅にわたる均等なデスケーリング作用もしくは冷却作用が間隔に依存せずに得られるので、有利である。これは、反った圧延材表面の場合でも当て嵌まる。
【００４９】
説明した方法でノズル出口とスラブ表面の間の間隔を減少させることにより、時間毎の必要水量を削減することができる。これは、スラブ又は粗ストリップの冷却効果を低下させる。小さい冷却効果は、例えば炉温度（加熱効果）が低減されることによって、省エネルギーのために利用することができる。
【００５０】
従来のノズルを使用する代わりに、本発明は、ウォータカーテンを発生させてデスケールすべきスラブへ導くことができる長方形ノズルを設ける。
【００５１】
従来並みに相並んで配置された多数のノズルが使用される場合は、ノズル出口とスラブの間の間隔が本発明通り低減された場合には、同じ噴射角度で十分なカバー範囲を保証できるようにするために、明らかに多くのノズルを使用しなければならなくなる。選択的に、確かに、ノズル数が不変の場合は噴射角度も増大させることもできるが、但し、これにより衝突圧力が低下し、従ってデスケーリング結果がマイナスの影響を受けるとの欠点を伴ことになる。
【００５２】
提案した形成は、安価な構想によって際立っている。これは、一方では低圧ポンプの使用の可能性によって当て嵌まり、更に、薄い壁厚を有する割安のチューブライン及びスプレーバーを使用することができる。使用される高圧に対する遮蔽も、僅かにしか費用がかからなくなる。更に、長方形ノズルの摩耗も、圧力が低いために低減されている。これによりまた、僅かな整備費用しか必要ない。
【００５３】
また、スケールウォッシャ及び／又はスケールウォッシャハウジングへの入側ラインもしくは少なくとも、水を案内する領域内の全ての部品は、不錆材料（例えば特殊鋼、鋳物、銅）から形成することができるが、それは、ここでは、必要な耐圧性を有する高圧スケールウォッシャではなく、５０ｂａｒよりも小さい圧力を問題とするからである。狭いスリットノズルの生じ得る詰りの危険に、効果的に対処することもできる。その場合、入側ライン又はスケールウォッシャ内の錆は、即ち生じることがない。
【００５４】
スケールウォッシャはまた、有利には小さい構造スペースを占めるが、それは、スケールウォッシャに対して側毎に１つのノズル列しか設ける必要がないからである。
【００５５】
有利には、濡らされる面が小さいためもしくはデスケールのために必要な水の容積流が少ないためにスラブの低減された冷却も得られる。
【００５６】
上側のスケールウォッシャの水でぬらされる面は、付加的に、スケールウォッシャの前及び／又は後のドライブローラ又はスクイーズローラによって制限することができる。この場合、スクイーズローラは、限定された力もしくは限定された間隙に調整される。更に、このスケールウォッシャ構成の場合に定評のある、水を“掬い取る”ための捕集溝も配置することができる。
【００５７】
使用される長方形ノズルにより、スラブの幅にわたる最適なカバー範囲が、しかもノズル出口とスラブ表面の間の間隔が異なる場合でも、得られる。
【００５８】
衝突圧力は、前記仕様の運転パラメータで提案した長方形ノズルを使用することによって、少なくとも公知の高圧ノズルの場合と等しい大きさに保たれる。
【００５９】
ノズルの出口通路は、出口領域内の先の尖ったスリットノズルの形態で形成することができる。選択的に、２０ｍｍよりも短い及び／又はノズルの出口間隙幅の３倍よりも長い間隙長さを有する若干円錐形の又は特に平行な出口間隙を有するノズルも使用可能である。
【００６０】
ここでスラブもしくは粗ストリップを話題にする限り、これらは、一般に各種スラブ（薄スラブ、厚スラブ）もしくは粗ストリップ又はストリップ及び一般に特に四角形の横断面を有するデスケールすべき各材料を意味する。
【００６１】
図面に本発明の実施例を図示し、以下で詳細に説明する。
【図面の簡単な説明】
【００６２】
【図１】スラブの上に配置されたノズルとスラブの下に配置されたノズルとを有するスケールウォッシャの概略側面図
【図２】本発明の第１の実施形態によるスケールウォッシャのノズルの概略側面図
【図３】本発明の第２の実施形態によるスケールウォッシャのノズルの概略側面図
【図４】本発明の第３の実施形態によるスケールウォッシャのノズルの概略側面図
【図５】スケールウォッシャのスラブの表面に対して垂直に見て円弧状に形成されたノズルの出口
【図６】スラブの移送方向に見た図５によるノズル
【発明を実施するための形態】
【００６３】
図１には、スラブ１の上側と下側をデスケールするスケールウォッシャ２が略図で示されている。従って、それぞれ１つのノズル３が、スラブ１の上下に配置されている。スラブ１は、移送方向Ｆにスケールウォッシャ２の傍らを移動する。
【００６４】
概して図２〜４によって明らかにされるように、各ノズル３は、出口４を有し、この出口から、水が、圧力下で排出される。ノズル３は、スラブ１の幅Ｂにわたって（図５参照）ウォータカーテンの形態のジェット５を排出するものであり、即ち出口４におけるノズル間隙は、スラブ１の幅Ｂ全体にわたって水平で移送方向Ｆに対して横に延在する長方形間隙（長方形のノズル横断面）である。
【００６５】
ノズル３は、ハウジング７内に配置されている。ハウジング７は、水平で移送方向Ｆに対して横に整向された軸Ａに旋回可能に支承されている。移動手段６は、ハウジング７の運動を可能にし、従って、ノズル３の、従ってノズル出口４の上下運動を可能にする。従って、ノズル出口４は、スラブ表面に対して垂直な方向Ｎに移動させることができる。これにより、ノズル３の出口４とスラブ１の表面の間の間隔ａを調整することができる。
【００６６】
図１には、更に、ハウジング７に部分もしくは突出部８が配置されていることが認められる。この部分は、ノズル出口４から突出し、従ってノズル３のための保護装置である。従って、部分もしくは突出部８の下エッジとスラブ１の表面の間の間隔ａ’が与えられ、この間隔は、ノズル３の出口４とスラブ表面の間の間隔ａよりも小さい。
【００６７】
更に、ノズル３から流出するジェット５が、スラブ１に対して垂直な方向Ｎに対して角度αで整向されていることが認められる（図１の下参照）。この整向は、この場合、移送方向Ｆとは反対に向けられている。
【００６８】
水は、圧力ｐで、入側ライン１２を介してノズル３に供給される。フィルタプレート１３の後で、水は、格子プレートから成るジェット整流器１４に達する。ここから水は、ノズル整流区間１５に達する。
【００６９】
即ち、長方形ノズルユニットは、水入側領域１２、オプションのフィルタプレート１３、ジェット整流器１４、ノズル整流区間、ノズル間隙の前のジェット収束部、最後にノズル間隙の主構成要素から成る。
【００７０】
スケールウォッシャハウジング７もしくはスケールウォッシャ２内のフィルタユニット１３のための可能な実施形態は、図１に図示されている。この実施形態は、例えば直方体状の一貫したフィルタユニット１３であり、このフィルタユニットは、幅にわたって延在し、シェル状に構成され、長方形のノズル出側領域１４，１５の前に配置されている。ここでは、フィルタが分配通路２１内へ突出する。フィルタハウジングもしくはフィルタユニット１３は、多数の狭幅のスリット（図１では見ることができない）を備え、そのスリット幅は、長方形ノズル３の出口幅ｂよりも小さいか等しい幅である。更に、孔、網目又は特にスリットの横断面の和は、長方形ノズル３の出口４の横断面よりも大きい。即ち、水は、入側ライン１２から一種の分配通路２１へ流入し、更にフィルタユニット１３の多数のスリットを経てジェット整流器１４及びノズル整流区間１５を有するノズル入側へ流入し、最後にノズル出口４へ向かって流れる。
【００７１】
まさにノズルプレート９，１０のように、フィルタユニット１３及びジェット整流器１４も、生じ得る整備のために（例えばノズルの出口４の方向の移動により）容易に交換することができる。
【００７２】
スケールウォッシャ２への入側ライン１２及び／又は少なくともスケールウォッシャハウジング７もしくは水を案内する領域内の全ての部品（例えばジェット整流器１４及びノズル整流区間１５）は、不錆材料から形成することができる。ノズル間隙４内の狭いスリットノズルの詰まりの危険にも、効果的に対処することができる。その場合、入側ライン１２又はスケールウォッシャ２内の錆は生じない。
【００７３】
ノズル間隙自身は、２つのノズルプレート９及び１０によって構成され、これらノズルプレートは、それぞれの画成エッジ１１を有する（図４参照）。両側の画成エッジ１１は、異なったレベル（スラブ１に対する間隔ａ）に調整可能とすること又は調整可能に配置することができる。ノズルプレートは、交換可能に形成することができる。
【００７４】
ノズル３の出口通路４は、例えば図１に図示したように、出口領域内の先の尖ったスリットノズルの形態（即ち、例えば平行な出口間隙を有しない）で形成することができる。選択的に、例えば図４で平行に延在する両画成エッジ１１によって構成されるような、平行な出口間隙を有するノズルも使用可能である。
【００７５】
長方形のノズル出口４は、移送方向Ｆのノズル３の出口４の幅（図３参照）と水平で移送方向Ｆに対して横のノズル間隙の幅の積として得られる出口面積を有する。
【００７６】
図１には搬送ローラ（ローラテーブルローラ）１６も図示されている。上側−搬送ローラの上−にも、スクイーズローラを配置することができるので、ローラ対をドライバーとして働かせることができる。図１にはディフレクタリブ１７も図示されている。
【００７７】
図２には、ノズル３が、詳細に図示されている。ここでは、ネジ１８によるハウジング７への又は内へのノズルのネジ固定が行なわれる。水は、矢印方向にノズルから出る。ネジは、スラブとは反対の側に−即ち放射熱から保護されるように−配置されている。
【００７８】
シール１９は、ノズル本体とノズルプレート９及び１０の間の封止結合部を形成する。
【００７９】
更に、歯切り部もしくは溝切り部２０に言及すべきであるが、この歯切り部もしくは溝切り部は、ノズルプレート９，１０を噛合い係合式に、従ってノズル本体における限定された再現可能な座によって保持するために、ノズル本体とノズルプレート９，１０の間に与えられている。
【００８０】
図３に、ノズル３の出口４が幅ｂに関して調整可能に形成されていることをみることができる。このため、一方のノズルプレート１０は、二重矢印の方向に可動に配置されている（移動手段は、図示されていないが、これは、機械式、油圧式、空気圧式又は電気式のアクチュエータとすることができる）。
【００８１】
図４では、図３に対して選択的に、一方のノズルプレート１０が、スラブ表面に対して垂直な方向Ｎに可動である。これによっても、ノズル３の長方形間隙の間隙サイズを変更することができる。
【００８２】
更に選択的に、但し図示はされていないが、例えばノズルプレートの画成エッジ１１の円錐形の断面においてノズル３が完全に閉鎖されるまで間隙幅変更を生じさせるために、移送方向Ｆに対して横の方向の、即ちスラブ幅の方向の他方のノズルプレート９に対して相対的な一方のノズルプレート１０の移動が行なわれることも可能である。
【００８３】
図５及び６に、ノズル３の出口４を、強制的に直線的に（真直ぐに）形成する必要があるのではなく、円弧状に形成することもできることが見られる。ノズル３の出口４は、いくらかスラブ１の幅Ｂを超えて横に突出する。図５内の矢印は、水の流れ方向を示す。
【符号の説明】
【００８４】
１      スラブ／粗ストリップ
２      スケールウォッシャ
３      ノズル
４      ノズルの出口
５      ジェット
６      移動手段
７      ハウジング
８      部分／突出部
９      ノズルプレート
１０    ノズルプレート
１１    画成エッジ
１２    入側ライン
１３    フィルタ要素（フィルタプレート／フィルタハウジング／フィルタユニット）
１４    ジェット整流器
１５    ノズル整流区間
１６    搬送ローラ（ローラテーブルローラ）
１７    ディフレクタリブ
１８    ネジ
１９    シール
２０    歯切り部／溝切り部
２１    分配通路
Ａ      旋回の軸
Ｂ      スラブ又は粗ストリップの幅
Ｆ      移送方向
Ｎ      スラブ又は粗ストリップの表面に対して垂直な方向
ａ      ノズルの出口とスラブ又は粗ストリップの表面の間の間隔
ａ’    部分／突出部の下エッジとスラブ又は粗ストリップの表面の間の間隔
ｂ      移送方向のノズルの出口の幅
ｐ      圧力
α      角度
【図１】
0005882543.tif 000002
【図２】
0005882543.tif 000003
【図３】
0005882543.tif 000004
【図４】
0005882543.tif 000005
【図５】
0005882543.tif 000006
【図６】
0005882543.tif 000007